(57)【要約】【課題】低温かつ無水条件下での試料キャリアの試料キャリア支持体への移動が可能になるよう、及び、試料キャリアを有する試料キャリア支持体の操作容器からクライオ光学顕微鏡等への移送が装置構成が比較的大がかりな真空クライオトランスファーシステムを要することなく実行可能であるよう構成された操作容器の提供。【解決手段】試料キャリア支持体（７）のための少なくとも１つのホルダ（９）と、試料キャリアないし試料キャリア支持体（７）の操作のための少なくとも１つの操作開口（２）を有する、クライオ顕微鏡法のための操作容器（１）であって、試料キャリア支持体（７）のためのホルダ（９）は、試料キャリア支持体（７）のための移送装置（３）の操作容器（１）を完全に貫通して延在する摺動路（１１）に移動可能である操作容器。【選択図】図１
2016031928.tif 000002
【特許請求の範囲】
【請求項１】
試料キャリア支持体（７）のための少なくとも１つのホルダ（９）と、試料キャリアないし試料キャリア支持体（７）の操作のための少なくとも１つの操作開口（２）を有する、クライオ顕微鏡法のための操作容器（１）であって、
試料キャリア支持体（７）のためのホルダ（９）は、試料キャリア支持体（７）のための移送装置（３）の操作容器（１）を完全に貫通して延在する摺動路（１１）に移動可能である、
操作容器。
【請求項２】
試料キャリア支持体（７）のためのホルダ（９）は、移送装置（３）の摺動路（１１）を横切る方向に延在するガイド装置（１０）に沿って摺動可能である、
請求項１に記載の操作容器。
【請求項３】
ガイド装置（１０）に沿って、試料キャリア支持体（７）のためのホルダ（９）のための少なくとも１つの静止位置が移送装置（３）の摺動路（１１）において規定され、かつ、試料キャリア支持体（７）のためのホルダ（９）のための少なくとも１つの更なる静止位置が規定され、該更なる静止位置においては、試料キャリア支持体（７）が受容装置（８）から試料キャリア支持体（７）のためのホルダ（９）に摺動可能であるよう、ホルダ（９）は試料キャリア支持体（７）のための受容装置（８）に平面的に当接する、
請求項２に記載の操作容器。
【請求項４】
前記静止位置は、磁力の作用によって規定される、
請求項３に記載の操作容器。
【請求項５】
試料キャリア支持体（７）のためのホルダ（９）は、試料キャリア支持体（７）の力結合的保持のための互いに独立の少なくとも２つのクランプ要素（１３）を有する、
請求項１〜４の何れかに記載の操作容器。
【請求項６】
試料キャリア支持体（７）のためのホルダ（９）は、少なくともクランプ要素（１３）の作用面まで突出し弾性的に付勢される試料キャリア支持体（７）の操作のためのピストン（１４）を有する、
請求項１〜５の何れかに記載の操作容器。
【請求項７】
移送装置（３）は、操作容器にその外側において接続される第１パイプ（２０）を貫通して操作容器（１）の内部空間に案内される中空シャフト（２２）を含み、該中空シャフト内には、試料のための掴持部材（２３）の操作のためのピストンロッドが案内される、
請求項１〜６の何れかに記載の操作容器。
【請求項８】
移送装置（３）は、第１パイプ（２０）に対向配置され操作容器にその外側において接続される第２パイプ（２１）を貫通して操作容器（１）から外部に案内可能である、
請求項１〜７の何れかに記載の操作容器。
【請求項９】
第２パイプ（２１）は、顕微鏡テーブルに当該第２パイプ（２１）を接続するための接続手段を有する、
請求項８に記載の操作容器。
【請求項１０】
第２パイプ（２１）は、閉鎖装置（２５）によって閉鎖可能である、
請求項８又は９に記載の操作容器。
【請求項１１】
操作容器（１）は、スペーサーピン（５）によって操作容器（１）に支持される透明カバー（４）によってカバーされる、
請求項１〜１０の何れかに記載の操作容器。
【発明の詳細な説明】
【技術分野】
【０００１】
（関連出願の表示）
本願は、ドイツ特許出願ＤＥ１０２０１４１１０７２４．１（２０１４年７月２９日出願）の優先権主張に基づくものであり、当該ドイツ出願の全記載内容は引用をもって本書に繰り込み記載されているものとみなされる。
本発明は、試料キャリア支持体のための少なくとも１つのホルダと、試料キャリアないし試料キャリア支持体の操作のための少なくとも１つの操作開口を有するクライオ顕微鏡法のための操作容器に関する。
【背景技術】
【０００２】
クライオ固定（凍結）法は、電子顕微鏡法においてしばしば利用される試料調製法である。この場合、含水試料は−１５０℃未満の温度で極めて急速に凍結される（クライオ固定される）、即ち、含水試料は氷の結晶の形成を回避するために極めて迅速に冷却される。クライオ固定法は、構造生物学的検査のために極めて好適であることが判明している。検査対象、例えば細胞、酵素、ウイルス又は脂質膜は、この方法によって、薄い非晶質の（ガラス状の）氷層（非晶質（ガラス状）凍結切片）に包埋される。クライオ固定法の大きな利点は、生物学的構造をその自然のままの状態で保存（保持）できることである。とりわけ、生物学的プロセスを任意の時点でクライオ固定法によって停止し、この非晶質状態で、例えばクライオ電子顕微鏡において、更には相応の試料冷却法を用いる光学顕微鏡においても、検査することができる。なお、クライオ光学顕微鏡法は、とりわけ、試料の関連領域（検査領域）（複数）の発見（特定）のために利用されるが、これらの領域はマーキングされ、次いで、クライオ電子顕微鏡において詳細に観察される。
【０００３】
大抵は例えば微小ネット（Netzchen）／グリッド又はラスタ（走査）電子顕微鏡法のためのピン（Stift）のようなそれ自体既知の電子顕微鏡試料キャリア上にある凍結試料は、上述の極低温条件下でかつ水分を排除した状態で相応の試料キャリア支持体にもたらされる必要があり、該試料キャリア支持体はその後上述の顕微鏡の適切な取付部にもたらされることができる。本発明との関連において使用されるための典型的な試料キャリア支持体の一例は、例えば文献ＵＳ８，３９５，１３０Ｂ２から知られている。この試料キャリア支持体では、試料キャリアとして極低温試料を担持する微小ネットはクランプ要素によって相応の支持体（Fassung）に固定されることができる。
【先行技術文献】
【特許文献】
【０００４】
【特許文献１】ＵＳ８，３９５，１３０Ｂ２
【発明の概要】
【発明が解決しようとする課題】
【０００５】
このため、従来は、液体窒素を例えば発泡スチロール容器に予め入れておき、この容器において、試料キャリア支持体に微小ネットをもたらすために必要な操作工程を実行するというどちらかといえば間に合わせの解決策を採用していた。水分による、更にはその後の氷晶による試料の汚染を阻止できるよう、液体窒素から極低温窒素ガスを生成することによって、一方では、必要な低温を保証し、他方では、発泡スチロール容器内に無水（水分不含有）雰囲気を形成していた。
【０００６】
凍結試料の質を損なわないようにするために、該試料が冷却されておりかつ汚染されることなく例えばクライオ固定装置（Kryofixiereinrichtung）、凍結割断装置（Gefrierbruchvorrichtung）、コーティング装置ないし分析装置のような使用される処理装置、この場合はとりわけクライオ光学顕微鏡及びクライオ電子顕微鏡間で移送されることは、重要である。従来は、これのためにも、実験室において日常的に（ルーチンワーク的に）間に合わせの解決策が採用され、自作のロードシステム及びトランスファーシステムが特別に作成されていた。
【０００７】
真空クライオトランスファーシステムの一例としては、例えばメーカーであるライカマイクロシステムズ社のシステム“Ｌｅｉｃａ ＥＭ ＶＣＴ１００”があるが、このシステムは、試料キャリア支持体を液体窒素で冷却された操作容器から取り出し、同様に液体窒素で冷却された電子顕微鏡の観察チャンバにもたらすことができる。しかしながら、このシステムは、真空システムであり、制限された操作空間のみ提供し、操作容器内における相応の試料の比較的複雑な取り扱いを必然的に伴うため、比較的大がかりである。しかしながら、とりわけクライオ光学顕微鏡法では操作容器の比較的簡単な取り扱いが要求されるが、この場合、とりわけ種々異なる分析システム、とりわけ顕微鏡システムにそのような操作容器をフレキシブルに（自在に）適用可能にするためには、操作容器に充填される液体窒素による単純な冷却及び水分排除が望ましい。
【０００８】
それゆえ、本発明の課題は、試料キャリア及び試料キャリア支持体に対する標準化された快適な操作の実行及びとりわけ低温かつ無水（水分不含有）条件下での試料キャリアの上述のような試料キャリア支持体への移動が可能になるよう、及び、試料キャリアを有する試料キャリア支持体の当該操作容器から例えばクライオ光学顕微鏡への移送が、装置構成が比較的大がかりな真空クライオトランスファーシステムの使用を必要とすることなく、実行可能であるよう、冒頭に掲げたタイプの操作容器を発展的に構成することである。
【課題を解決するための手段】
【０００９】
上記の課題を解決するために、本発明の一視点において、試料キャリア支持体のための少なくとも１つのホルダと、試料キャリアないし試料キャリア支持体の操作のための少なくとも１つの操作開口を有する、クライオ顕微鏡法のための操作容器が提供される。この操作容器において、試料キャリア支持体のためのホルダは、試料キャリア支持体のための移送装置の操作容器を完全に貫通して延在する摺動路に移動可能である（もたらされることができる）（形態１・基本構成）。
更に、上記の操作容器において、試料キャリア支持体のためのホルダは、移送装置の摺動路を横切る方向に延在するガイド装置に沿って摺動（移動）可能であることが好ましい（形態２）。
更に、上記の操作容器において、ガイド装置に沿って、試料キャリア支持体のためのホルダのための少なくとも１つの静止位置が移送装置の摺動路において規定され、かつ、試料キャリア支持体のためのホルダのための少なくとも１つの更なる静止位置が規定され、該更なる静止位置においては、試料キャリア支持体が受容装置から試料キャリア支持体のためのホルダに摺動可能であるよう、ホルダは試料キャリア支持体のための受容装置（ないし受け手段）に平面的に（ないし面一に：plan）当接することが好ましい（形態３）。
更に、上記の操作容器において、前記静止位置は、磁力の作用によって規定されることが好ましい（形態４）。
更に、上記の操作容器において、試料キャリア支持体のためのホルダは、試料キャリア支持体の力結合的（kraftschluessig）保持のための互いに独立の少なくとも２つのクランプ要素を有することが好ましい（形態５）。
更に、上記の操作容器において、試料キャリア支持体のためのホルダは、少なくともクランプ要素の作用面まで突出し弾性的に付勢される試料キャリア支持体の操作のためのピストンを有することが好ましい（形態６）。
更に、上記の操作容器において、移送装置は、操作容器にその外側において接続される第１パイプを貫通して操作容器の内部空間に案内される中空シャフトを含み、該中空シャフト内には、試料のための掴持部材の操作のためのピストンロッドが案内されることが好ましい（形態７）。
更に、上記の操作容器において、移送装置（ないしその掴持部材）は、第１パイプに対向配置され操作容器にその外側において接続される第２パイプを貫通して操作容器から外部に案内可能であることが好ましい（形態８）。
更に、上記の操作容器において、第２パイプは、顕微鏡テーブルに当該第２パイプを接続するための接続手段を有することが好ましい（形態９）。
更に、上記の操作容器において、第２パイプは、閉鎖装置によって閉鎖可能であることが好ましい（形態１０）。
更に、上記の操作容器において、操作容器は、スペーサーピン（複数）によって操作容器に支持される透明カバーによってカバーされることが好ましい（形態１１）。
【発明を実施するための形態】
【００１０】
本発明は、クライオ光学顕微鏡法の目的のために液体窒素による部分的充填に適合的であり、例えばＵＳ８，３９５，１３０Ｂ２から知られているような試料キャリア支持体のためのホルダが操作容器に配置される操作容器を提供する。操作容器は、本発明に応じ、更に、操作容器を完全に貫通して延在する摺動路を有する移送装置を含み、かくして、操作容器に接続された移送装置（ないしその構成要素）が（操作）容器の内部に摺動される（導入される）ことができ、そこにおいて、ホルダによって移送装置の摺動路に移動可能な試料キャリア支持体は（ホルダから）取り出され、更に、操作容器外に導き出され、かくして、操作容器が移送装置によって適切にクライオ光学顕微鏡ないしその試料テーブル（試料ステージ）に接続されるないし試料テーブルに結合されると、試料キャリア支持体は作業工程において操作容器からクライオ光学顕微鏡の試料テーブルに移送されることができる。
【００１１】
ホルダが移送装置の摺動路に移動可能であるという機能は種々の方法で実現することができる。本発明の好ましい一実施形態に応じ、試料キャリア支持体のためのホルダは、移送装置の摺動路に対し横切る方向に延在するガイド装置（Schiene）に沿って移動（摺動）可能に構成される。本発明のこの好ましい実施形態の場合のように、試料キャリア支持体のためのホルダがガイド装置に沿って移動（摺動）可能に構成されていれば、ホルダは常に安定的に案内されるため、利用者は、特殊な手技を用いることなく、とりわけ金属ピン等のような簡単な工具を用いて（操作）容器の操作位置から移送装置の摺動路にホルダを移動する（もたらす）ことができる。この場合、ガイド装置は可能な限り任意の輪郭形状（Profil）を有することができるが、この場合、ガイド装置の輪郭形状は、ホルダを確実に案内し、ガイド装置におけるホルダの良好な移動（摺動）可能性を保証するために、試料キャリア支持体のためのホルダの形状に適合する形状を有することは、当業者には明らかである。
【００１２】
本発明の操作容器内における試料ないし試料キャリア及び試料キャリア支持体の取り扱いを更に簡単に（容易に）するために、本発明の好ましい一実施形態に応じ、ガイド装置に沿って、試料キャリア支持体のためのホルダのための少なくとも１つの静止位置が移送装置の摺動路において規定され、かつ、試料キャリア支持体のためのホルダのための少なくとも１つの更なる静止位置が規定され、該更なる静止位置においては、試料キャリア支持体が受容装置（ないし受け手段：Ablage）から試料キャリア支持体のためのホルダに摺動可能であるよう、ホルダは試料キャリア支持体のための受容装置に平面的に（ないし面一の面をなすよう：plan）当接する。この好ましい変形形態に応じ、ホルダのための少なくとも２つの好ましい静止位置が設けられ、一方の場合では、ホルダは、試料キャリア支持体が操作後に掴持され次いで移送されるためにホルダが移送装置の摺動路に位置付けられる規定された（特定の）位置（状態）をとり、他方の場合では、試料キャリアないし試料キャリア支持体が操作される受容装置から試料キャリア支持体のためのホルダへの試料キャリア支持体の簡単な（容易な）摺動を可能にするために、ホルダは試料キャリア支持体のための受容装置に平面的に（ないし面一の面をなすよう：plan）当接する、即ち、ホルダは受容装置に継ぎ目なく（シームレスにないし一体的に：nahtlos）当接する。
【００１３】
試料キャリア支持体のためのホルダのための上記の静止位置（複数）は、ストッパ、係止要素等によって規定することができる。更に、本発明の好ましい一実施形態に応じ、静止位置は、磁力の作用によって規定される。この好ましい実施形態では、相応のマグネット要素は、ホルダと、例えばガイド装置のような本発明の操作容器のホルダの下方に設けられる部分とに組み込まれ、かくして、所望の静止位置において、マグネット要素と試料キャリア支持体のためのホルダとの間にマグネット引力が形成され、他方、これらの静止位置間には、マグネット作用は生成されないか又はマグネット斥力（反発力）が生成され、かくして、試料キャリア支持体のためのホルダは有利に静止位置をとり、また、所望の静止位置間に反対の（符号ないし方向の）マグネット作用が生成される場合には、専ら該静止位置がコンスタントにとられることができる。
【００１４】
本発明の操作容器において使用される試料キャリア支持体のためのホルダは、試料キャリアの装填（組み込み）のための試料キャリア支持体を固定的に（安定的に）保持し、試料キャリアの装填後、試料キャリア支持体を試料キャリアと一緒に移送装置の摺動路にもたらし（移動し）、そこで固定的に（安定的に）保持するために役立つ。この目的のために、試料キャリア支持体のためのホルダは、試料キャリア支持体の力結合的（摩擦力による結合形式：kraftschluessig）保持のための互いに独立の少なくとも２つのクランプ要素（ないし弾性的挟圧保持手段）を有することが好ましい。クランプ要素を備えることによって、試料キャリア支持体はホルダのクランプ要素の下に簡単に（容易に）摺動されることができ、試料キャリア支持体をホルダに十分に固定するために、更なる要素を操作する必要はない。
【００１５】
例えば文献ＵＳ８，３９５，１３０Ｂ２に記載されているような試料キャリア支持体への試料キャリアの挿入（装填）の容易化をするために、本発明は、好ましくは、試料キャリア支持体のためのホルダが少なくともクランプ要素の作用面まで突出し弾性的に付勢される試料キャリア支持体の操作のためのピストン（Stempel）を有するよう、更に構成される。試料キャリア支持体をホルダに装填する際にないし試料キャリア支持体をホルダに挿入する際に、そのような弾性的に付勢されたピストンは押下（後退）位置に保持された後、解除されることができ、その結果、ピストンは、試料キャリア支持体に接する相応のクランプ要素に押圧力を加えて試料キャリアが挿入（装填）可能な位置に位置付けるために、クランプ要素の締付（押付）作用に抗して試料キャリア支持体の相応の領域に押圧力を加える。
【００１６】
好ましくは、移送装置は、操作容器にその外側において接続される第１パイプを貫通して操作容器の内部空間に案内される中空シャフトを含み、該中空シャフト内には、試料のための掴持部材（Greifer）の操作のためのピストンロッドが案内される。このため、試料キャリア支持体は、ホルダが移送装置の摺動路に静止しているとき、試料キャリア支持体のためのホルダから取り出されることができ、これに対し、移送装置（ないしその構成要素）が引き戻されかつ試料キャリア支持体がホルダから引き出されることができる。次いで、試料キャリア支持体のためのホルダは移送装置の摺動路外に移動され、移送装置（ないしその構成要素）は操作容器を貫通してその外部に、好ましくはクライオ光学顕微鏡の試料テーブルに移送されることができる。
【００１７】
操作容器及びとりわけ移送装置によって提供される操作容器の機能を可能な限り最大限に利用可能にするために、本発明は、好ましくは、移送装置（ないしその掴持部材）は、第１パイプに対向配置され操作容器にその外側において接続される第２パイプを貫通して操作容器から外部に案内可能であるよう、更に構成される。第２パイプが第１パイプに対し対向配置されて操作容器に接続され、かくして、移送装置（ないしその掴持部材）が第２パイプ（ないし操作容器）を貫通して案内可能に構成されることにより、試料は、移送装置によって、上記の低温乾燥窒素雰囲気において操作容器外に導き出され、後置の機器に、通常はクライオ光学顕微鏡に導かれるないし引き渡されることができ、他方、（操作）容器は、そのような機器の部分的に比較的大きく構成された部分に接触する必要はなくないし当該部分と衝突しない。
【００１８】
これに関し、第２パイプが顕微鏡テーブルに当該第２パイプを接続するための接続手段を有すると、とりわけ好ましい。このようにして、操作容器と顕微鏡テーブルとの間の十分に密封的な（気密な）接続を形成することができ、かくして、試料キャリアないし試料キャリア支持体の操作及び移送の際に試料に対する湿った空気の侵入を効果的に回避することができる。
【００１９】
尤も、操作容器が第２パイプによって顕微鏡テーブルに接続されていない場合にも、操作容器内において試料に対する湿った空気の侵入を阻止するために、本発明は、好ましくは、第２パイプが閉鎖装置によって閉鎖可能であるよう、更に構成される。そのような閉鎖装置としては、例えば、蓋（Deckel）、すべり弁（Schieber）又は第２パイプに挿入され回動可能なボルトと穿孔等を使用することができる。
【００２０】
本発明の好ましい一実施形態に応じ、操作容器内の無水雰囲気の保証を一層高めるために、操作容器は、スペーサーピン（複数）によって操作容器に支持される透明カバーによってカバーされる。そのようにして操作容器から離隔されたカバーは、周囲の水分（湿気）を操作容器の内部から効果的に（有効に）排除する（追い出す）ために必要とされる液体窒素の量ないし液体窒素から生成される低温窒素ガスの量を制限（低減）すると同時に、少なくとも、カバーと操作容器との間の隙間を介した僅かな操作可能性を提供する。カバーを完全に取り外せば、より大がかりな操作が可能であることは明らかである。
【００２１】
以下に、本発明の実施例を模式的に記載された図面を参照して詳細に説明する。なお、特許請求の範囲に付した図面参照符号は、専ら発明の理解を助けるためのものであり、本発明を以下の実施例に限定することは意図していない。
【図面の簡単な説明】
【００２２】
【図１】本発明の操作容器の一例の全体構造の斜視図。
【図２】部分的に断面で示した本発明の操作容器の一例の斜視詳細図。
【図３】（ａ）試料キャリア支持体が装填されていない状態にある試料キャリア支持体のためのホルダの一例の斜視詳細図。  （ｂ）試料キャリア支持体が装填されている状態にある試料キャリア支持体のためのホルダの一例の斜視詳細図。
【図４】試料キャリア支持体のためのホルダが移送装置の摺動路内に移動されている状態にある本発明の操作容器の一例の図２に対応して示した斜視詳細図。
【図５】試料キャリア支持体が掴持部材によって試料キャリア支持体のためのホルダから取り出されており、かつ、試料キャリア支持体のためのホルダが移送装置の摺動路外に移動されている状態にある本発明の操作容器の一例の図２に対応して示した更なる斜視詳細図。
【実施例】
【００２３】
図１に、本発明の操作容器の一例を図面参照符号１を付して示す。操作容器は、試料キャリアないし試料キャリア支持体の操作のための操作開口を有し、更に、移送装置３を有する。移送装置３の摺動路１１は、操作容器１を完全に貫通して延在する。図面参照符号４が付されているのは透明カバーであり、これは、スペーサーピン（複数）５によって操作容器に支持される。
【００２４】
図２の拡大図において見出すことができるように、操作容器１（なお、この図においては透明カバー４の記載は省略されている）は、その操作開口２ないし対応する操作空間６に、試料ないし試料キャリア支持体の操作を可能にするないし単純化（容易化）する一連の構成要素を有する。更に、試料キャリア支持体７は試料キャリア支持体７のためのホルダ９が平面的に（ないし面一の面をなすよう：plan）当接する相応の受容装置（Ablage）８に受容される（abgelegt）ことができるため、受容装置８から試料キャリア支持体７は、試料キャリア支持体７のためのホルダ９に摺動されることができることを見出すことができる。ホルダ９は、移送装置３の摺動路１１を横切る方向に延在するガイド装置１０に沿って移動（摺動）可能に構成されている。操作容器１は、液体窒素を収容するための相応の断熱部材（Isolierung）１２によって構成されている。
【００２５】
図３（ａ）において見出すことができるように、試料キャリア支持体のためのホルダ９は互いに対し独立の２つのクランプ要素１３を有し、これらのクランプ要素１３によって試料キャリア支持体７は力結合的に（kraftschluessig：係合ないし当接面間の力の作用（摩擦力等）による（非嵌め合い的な）結合態様）固定的に保持されることができる。ホルダ９は、更に、弾性的に付勢（バネ付勢等）されるピストン１４を有する。ピストン１４は、クランプ要素の作用面に突出し、及び、試料キャリア支持体の操作のための特別に構成された操作要素１５を有する。弾性的に付勢されたピストン１４は、レバー１６によって、不図示の弾性体（バネ等）の作用に抗して矢印１７の方向に押し下げられ（押圧され）、案内部１８においてこの押下（後退）位置に固定されることができる。ピストン１４が押下位置に位置する状態において、試料キャリア支持体７はホルダ９に摺動されることができるが、その際、図３（ｂ）に示されているように、クランプ要素１３は試料キャリア支持体７をホルダ９に固定的に保持する。図３（ｂ）に記載されている弾性的に付勢されたピストン１４は同様に予め押し込まれた位置（押下位置：in der vorgeschobenen Position）に位置しているが、ここで見出すことができるように、操作要素１５は試料キャリア支持体７の対応する係合要素（Klammerelemente）１９を上方に逸らし（aufbiegen）、その結果、微小ネットないしグリッドが試料キャリア支持体内に挿入される（eingeschoben）ことができる。
【００２６】
移送装置３は操作容器１にその外側において接続されている第１パイプ２０を有すること、及び、第１パイプ２０に対向配置されかつ同様に操作容器１にその外側において接続されている第２パイプ２１が設けられていることが、図４に見出すことができる。移送装置３は、更に、図１においても見出すことができかつ（図４において）図面参照符号２２が付されている中空シャフトを有する。中空シャフト２２は、第１パイプ２０を貫通して案内されており、それから更に、第２パイプ２１も貫通して案内されることも可能である。中空シャフト２２は図４ではその端部しか視認することができないが、中空シャフト２２内には、試料ないし試料キャリア支持体７のための掴持部材２３の操作に利用されるピストンロッドが案内されている。図２の状態とは異なり、ホルダ９がガイド装置１０に沿って移送装置３の摺動路１１内に移動されており、そのため、試料キャリア支持体７が掴持部材２３によってホルダ９ないしそのクランプ要素１３から取り出し可能である状態を図４において見出すことができる。ホルダ９が試料キャリア支持体７のための受容装置８に平面的に（ないし面一に：plan）当接する静止位置（の１つ）がストッパ２４によって規定されているが、これについては図２にも見出すことができる。図面参照符号２５が付された閉鎖（密封）装置によって第２パイプ２１は閉鎖（密封）されることができる。これにより、操作容器１が例えばクライオ光学顕微鏡に接続されていない場合に、過剰な窒素が漏出したり、湿った空気が操作容器１の内部に侵入したりすることを阻止することができる。
【００２７】
図５には、掴持部材２３が試料キャリア支持体７を掴持しており、ホルダ９が移送装置３の摺動路１１外に移動されている状態が示されている。この状態では、次の段階（工程）において、掴持部材２３が中空シャフト２２によって第２パイプ２１を貫通して矢印２６の方向に操作容器１の外部に摺動（移送）されることができるため、操作容器１が詳細には図示されていない接続装置によって第２パイプ２１が例えば光学顕微鏡の試料テーブル（顕微鏡テーブル）に接続されていれば、試料キャリア支持体７は当該試料テーブルに載置されることができる。操作容器１内には、試料キャリアないし試料キャリア支持体のための複数の保管部（Ablagebucht）２７が設けられている。更に、受容装置８、ガイド装置１０及び保管部２７が、中間部材２８を介して本発明の操作容器１の移送装置３と結合している１つの構造ユニットを形成していることを見出すことができる。
【００２８】
なお、本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００２９】
１      操作容器
２      操作開口
３      移送装置
４      透明カバー
５      スペーサーピン
６      操作空間
７      試料キャリア支持体（Probentraegerfassung）
８      受容装置（Ablage）
９      ホルダ
１０      ガイド装置（Schiene）
１１      摺動路
１２      断熱部材（Isolierung）
１３      クランプ要素
１４      ピストン（Stempel）
１５      操作要素
１６      レバー
１７      矢印
１８      案内部
１９      係合要素（Klammerelement）
２０      第１パイプ
２１      第２パイプ
２２      中空シャフト
２３      掴持部材（Greifer）
２４      ストッパ
２５      閉鎖（密封）装置（Verschlusseinrichtung）
２６      矢印
２７      保管部（Ablagebucht）
２８      中間部材
【図１】
2016031928.tif 000003
【図２】
2016031928.tif 000004
【図３】
2016031928.tif 000005
【図４】
2016031928.tif 000006
【図５】
2016031928.tif 000007